【手続補正書】
【提出日】平成24年6月26日(2012.6.26)
【手続補正１】
【補正対象書類名】明細書
【補正対象項目名】００１３
【補正方法】変更
【補正の内容】
【００１３】
ここで我々は、先行技術に関連する問題を軽減または克服する、小型の四元転化装置、すなわち炭化水素、一酸化炭素、粒子状物質及び窒素酸化物を処理できる装置を開発した。
本発明は下記の態様を提案する。
（１）  リーンバーン内燃機関用の排気装置であって、
一酸化窒素(ＮＯ)を酸化するための触媒を含む第一基材モノリスと、前記第一基材モノリスに続いて、下流に、入口流路及び出口流路を有するウォールフローフィルタである第二基材モノリスとを備え、
前記入口流路が接触酸化成分を含むＮＯｘ吸着触媒(ＮＡＣ)を含み、かつ前記出口流路が窒素系還元剤による窒素酸化物(ＮＯｘ)の選択的接触還元(ＳＣＲ)用の触媒を含む、排気装置。
（２）  前記ウォールフローフィルタの前記入口流路が、前記ＮＡＣの下流に配置されたＳＣＲ触媒を含む、（１）に記載の排気装置。
（３）  前記ウォールフローフィルタが、入口末端から出口末端まで伸びる長さを含み、
前記ＮＡＣは、上流区域末端が前記ウォールフローフィルタ入口末端により規定された、前記ウォールフローフィルタ長さの３０〜７０％の実質的に一様な長さの第一区域に配置される、（２）に記載の排気装置。
（４）  前記ＳＣＲ触媒は、下流末端が前記ウォールフローフィルタ出口末端により規定された、前記ウォールフローフィルタ長さの３０〜７０％の実質的に一様な長さの第二区域に配置される、（３）に記載の排気装置。
（５）  前記第一区域及び前記第二区域が重なっている、（４）に記載の排気装置。
（６）前記ＮＡＣ及び前記ＳＣＲ触媒が同じ触媒中に組み合わされている、（１）に記載の排気装置。
（７）  前記ＮＯ酸化触媒が酸化触媒である、（１）〜（６）のいずれか一項に記載の排気装置。
（８）  前記ＮＯ酸化触媒がＮＡＣである、（１）〜（６）のいずれか一項に記載の排気装置。
（９）  前記第一基材モノリスがフロースルー基材モノリスである、（１）〜（８）のいずれか一項に記載の排気装置。
（１０）前記第一基材モノリスが部分フィルタである、（１）〜（８）のいずれか一項に記載の排気装置。
（１１）  前記出口流路が、アンモニア及び/または炭化水素及び一酸化炭素を転化するための触媒を含む、（１）〜（１０）のいずれか一項に記載の排気装置。
（１２）  前記浄化触媒が、下流末端でウォールフローフィルタ出口末端によって規定された、実質的に一様な長さの区域に配置される、（１１）に記載の排気装置。
（１３）  前記浄化触媒が、前記ＳＣＲ触媒を覆う別の層中に配置される、（１０）に記載の排気装置。
（１４）（３）に従属する場合、前記ＳＣＲ触媒は、第二区域の上流末端が前記第一区域の下流末端により規定された、前記ウォールフローフィルタ長さの３０〜６５％の実質的に一様な長さの第二区域に配置され、
前記浄化触媒は、第三区域の上流末端が前記第二区域の下流末端により、及び下流末端では前記ウォールフローフィルタの前記出口末端により規定された、前記ウォールフローフィルタ長さの５〜４０％の実質的に一様な長さの第三区域に配置されている、（１１）または（１２）に記載の排気装置。
（１５）  前記浄化触媒が、アルミナ上の比較的低い装填量の白金である、（１１）〜（１４）のいずれか一項に記載の排気装置。
（１６）  前記ＮＡＣ触媒が、少なくとも一種のアルカリ土類金属、アルカリ金属及び希土類金属からなる群から選択され、
前記または各金属が、所望により耐火性酸化物上に担持される、（１）〜（１５）のいずれか一項に記載の排気装置。
（１７）  前記ＳＣＲ触媒が、耐火性酸化物上に担持された、遷移金属/ゼオライト、及びＣｕ、Ｈｆ、Ｌａ、Ａｕ、Ｉｎ、Ｖ、ランタニド及びVIII族遷移金属の少なくとも一種からなる群から選択される、（１）〜（１６）のいずれか一項に記載の排気装置。
（１８）  前記耐火性酸化物が、Ａｌ２Ｏ３、ＴｉＯ２、ＣｅＯ２、ＳｉＯ２、ＺｒＯ２、及びそれらの２種類以上を含む混合酸化物から選択される、（１７）に記載の排気装置。
（１９）  第一流路及び第二流路を有するウォールフローフィルタであって、
前記第一流路が、接触酸化成分を含むＮＯｘ吸収触媒(ＮＡＣ)を含み、
前記第二流路が、窒素系還元剤による窒素酸化物(ＮＯｘ)の選択的接触還元(ＳＣＲ)用の触媒を含み、
前記第二流路が、アンモニア及び/または炭化水素及び一酸化炭素を転化するための浄化触媒を含む、ウォールフローフィルタ。
（２０）  前記浄化触媒が、一端において前記ＳＣＲ触媒を含む前記流路の入口末端により規定された、実質的に一様な長さの区域に配置される、（１９）に記載のウォールフローフィルタ。
（２１）  前記浄化触媒が、前記ＳＣＲ触媒を覆う別の層中に配置される、（２０）に記載のウォールフローフィルタ。
（２２）  前記ウォールフローフィルタが、第一末端から第二末端まで伸びる長さを含み、
前記ＮＡＣは、上流区域末端が前記ウォールフローフィルタの前記第一末端より規定された、前記ウォールフローフィルタ長さの３０〜７０％の実質的に一様な長さの第一区域に配置され、
前記ＳＣＲ触媒は、第二区域の上流末端が前記第一区域の下流末端により規定された、前記ウォールフローフィルタ長さの３０〜６５％の実質的に一様な長さの第二区域に配置され、
前記浄化触媒は、第三区域の上流末端が前記第二区域の下流末端により、及び下流末端では前記ウォールフローフィルタの前記第二末端により規定された、前記ウォールフローフィルタ長さの５〜４０％の実質的に一様な長さの第三区域に配置されている、（２０）に記載のウォールフローフィルタ。
【手続補正２】
【補正対象書類名】特許請求の範囲
【補正対象項目名】全文
【補正方法】変更
【補正の内容】
【特許請求の範囲】
【請求項１】
リーンバーン内燃機関用の排気装置であって、
一酸化窒素(ＮＯ)を酸化するための第１ＮＯｘ吸着触媒(ＮＡＣ)を含む第一基材モノリスと、
前記第一基材モノリスに続いて下流に、入口流路及び出口流路を有するウォールフローフィルタである第二基材モノリスとを備えてなり、
前記入口流路が接触酸化成分を含む第２ＮＯｘ吸着触媒(ＮＡＣ)を備えてなり、及び
前記出口流路が窒素系還元剤による窒素酸化物(ＮＯｘ)の選択的接触還元(ＳＣＲ)用の触媒を備えてなる、排気装置。
【請求項２】
前記ウォールフローフィルタの前記入口流路が、前記第２ＮＯｘ吸着触媒（ＮＡＣ）の下流に配置されたＳＣＲ触媒をさらに備えてなる、請求項１に記載の排気装置。
【請求項３】
前記出口流路が、アンモニア及び/または炭化水素及び一酸化炭素を転化するための浄化触媒をさらに備えてなる、請求項１又は２に記載の排気装置。
【請求項４】
リーンバーン内燃機関用の排気装置であって、
一酸化窒素(ＮＯ)を酸化するための触媒を含む第一基材モノリスと、
前記第一基材モノリスに続いて下流に、入口流路及び出口流路を有するウォールフローフィルタである第二基材モノリスとを備えてなり、
前記入口流路が接触酸化成分を含むＮＯｘ吸着触媒(ＮＡＣ)を備えてなり、及び
前記出口流路が窒素系還元剤による窒素酸化物(ＮＯｘ)の選択的接触還元(ＳＣＲ)用の触媒を備えてなり、
前記ウォールフローフィルタの前記入口流路が、前記ＮＯｘ吸着触媒(ＮＡＣ)の下流に配置されたＳＣＲ触媒をさらに備えてなる、排気装置。